【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
インク吐出のための複数のノズルと、前記ノズルに連通した圧力室と、前記圧力室の容積を変化させる圧力発生素子を有する噴射ヘッドと、インク滴を吐出させる複数の駆動パルスを１印刷周期内に有する駆動信号を生成する駆動信号生成手段とを備え、
前記駆動信号発生手段により生成された駆動信号を供給することによって、前記圧力発生素子を作動させて前記ノズルからインク滴を吐出させるようにしたインクジェット記録装置において、
１印刷周期内に前記ノズルから吐出された複数のインク滴が飛翔中に合体するように設定された駆動パルスを有し、
前記駆動パルスの中の少なくとも最終の駆動パルスは、１印刷周期内に１つのインク滴をノズルより吐出する場合の駆動パルスよりも引き込み電圧が小さく、かつ、基準電位よりも高い電位までの立ち上げ電圧を有することを特徴とするインクジェット記録装置。
【請求項２】
前記最終の駆動パルスは、同一印刷周期内の他の駆動パルスよりも引き込み電圧が小さいことを特徴とする請求項１に記載のインクジェット記録装置。
【請求項３】
前記最終の駆動パルスは、前記立ち上げ電圧が他の駆動パルスと同一又は略同一となるように設定されたことを特徴とする請求項１又は２に記載のインクジェット記録装置。
【請求項４】
前記駆動信号は、インク滴を吐出させずにメニスカスを振動させる微駆動パルスを有することを特徴とする請求項１から３のいずれか１項に記載のインクジェット記録装置。
【請求項５】
前記駆動信号生成手段は、印字信号に応じて、複数の前記駆動パルスを組み合わせて選択することを特徴とする請求項１から４のいずれか１項に記載のインクジェット記録装置。
【請求項６】
前記駆動信号生成手段は、前記微駆動パルスを選択することを特徴とする請求項５に記載のインクジェット記録装置。
【請求項７】
前記微駆動パルスは、前記複数の駆動パルスの前に位置するように設定されたことを特徴とする請求項６に記載のインクジェット記録装置。
【請求項８】
前記微駆動パルスは、前記圧力室の固有振動周期をＴｃとした場合、前記微駆動パルスの直後に位置する駆動パルスの吐出タイミングとの間隔をＴｃ±０．５μｓに設定されたことを特徴とする請求項７に記載のインクジェット記録装置。
【請求項９】
インク粘度は、５ｍＰａ・ｓから２０ｍＰａ・ｓの範囲内であることを特徴とする請求項１から８のいずれか１項に記載のインクジェット記録装置。
【請求項１０】
前記駆動パルスは、前記インク粘度が小さいときは電圧を小さく設定され、前記インク粘度が大きいときは電圧を大きく設定されたことを特徴とする請求項９に記載のインクジェット記録装置。
【手続補正２】
【補正対象書類名】明細書
【補正対象項目名】００１２
【補正方法】変更
【補正の内容】
【００１２】
かかる目的を達成するために、請求項１記載の発明は、インク吐出のための複数のノズルと、前記ノズルに連通した圧力室と、前記圧力室の容積を変化させる圧力発生素子を有する噴射ヘッドと、インク滴を吐出させる複数の駆動パルスを１印刷周期内に有する駆動信号を生成する駆動信号生成手段とを備え、前記駆動信号発生手段により生成された駆動信号を供給することによって、前記圧力発生素子を作動させて前記ノズルからインク滴を吐出させるようにしたインクジェット記録装置において、１印刷周期内に前記ノズルから吐出された複数のインク滴が飛翔中に合体するように設定された駆動パルスを有し、前記駆動パルスの中の少なくとも最終の駆動パルスは、１印刷周期内に１つのインク滴をノズルより吐出する場合の駆動パルスよりも引き込み電圧が小さく、かつ、基準電位よりも高い電位までの立ち上げ電圧を有することを特徴とする。
【手続補正３】
【補正対象書類名】明細書
【補正対象項目名】００１３
【補正方法】変更
【補正の内容】
【００１３】
本請求項記載の発明は、インク滴を吐出させる駆動パルスを１印刷周期内に複数有する駆動信号を生成する駆動信号生成手段を備える。そして、記録動作において、個々の駆動パルスに対応してインク滴がそれぞれ吐出されるが、複数のインク滴が吐出される場合には飛翔中に合体して１つのインク滴となるように設定される。また、複数の駆動パルスのうち、同一印刷周期内の最終の駆動パルスは、１印刷周期内に１つのインク滴をノズルより吐出する場合の駆動パルスよりも引き込み電圧が小さく、かつ、基準電位よりも高い電位までの立ち上げ電圧を有する。このように構成することで、異なる吐出速度をもち、先に吐出される異滴種のインク滴との着弾位置を揃えることができるとともに、インク滴の体積の確保に格別の時間を要することなく、効率的にインク滴を生成することが可能となる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、請求項２記載の発明は、請求項１に記載のインクジェット記録装置において、前記最終の駆動パルスは、同一印刷周期内の他の駆動パルスよりも引き込み電圧が小さいことを特徴とする。
【手続補正６】
【補正対象書類名】明細書
【補正対象項目名】００１６
【補正方法】変更
【補正の内容】
【００１６】
また、請求項３記載の発明は、請求項１又は２に記載のインクジェット記録装置において、前記最終の駆動パルスは、前記立ち上げ電圧が他の駆動パルスと同一又は略同一となるように設定されたことを特徴とする。
【手続補正７】
【補正対象書類名】明細書
【補正対象項目名】００１７
【補正方法】変更
【補正の内容】
【００１７】
また、請求項４記載の発明は、請求項１から３のいずれか１項に記載のインクジェット記録装置において、前記駆動信号は、インク滴を吐出させずにメニスカスを振動させる微駆動パルスを有することを特徴とする。
【手続補正８】
【補正対象書類名】明細書
【補正対象項目名】００１８
【補正方法】変更
【補正の内容】
【００１８】
また、請求項５記載の発明は、請求項１から４のいずれか１項に記載のインクジェット記録装置において、前記駆動信号生成手段は、印字信号に応じて、複数の前記駆動パルスを組み合わせて選択することを特徴とする。
【手続補正９】
【補正対象書類名】明細書
【補正対象項目名】００１９
【補正方法】変更
【補正の内容】
【００１９】
また、請求項６記載の発明は、請求項５に記載のインクジェット記録装置において、前記駆動信号生成手段は、前記微駆動パルスを選択することを特徴とする。
【手続補正１０】
【補正対象書類名】明細書
【補正対象項目名】００２０
【補正方法】変更
【補正の内容】
【００２０】
また、請求項７記載の発明は、請求項６に記載のインクジェット記録装置において、前記微駆動パルスは、前記複数の駆動パルスの前に位置するように設定されたことを特徴とする。
【手続補正１１】
【補正対象書類名】明細書
【補正対象項目名】００２１
【補正方法】変更
【補正の内容】
【００２１】
また、請求項８記載の発明は、請求項７に記載のインクジェット記録装置において、前記微駆動パルスは、前記圧力室の固有振動周期をＴｃとした場合、前記微駆動パルスの直後に位置する駆動パルスの吐出タイミングとの間隔をＴｃ±０．５μｓに設定されたことを特徴とする。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】変更
【補正の内容】
【００２３】
また、請求項９記載の発明は、請求項１から８のいずれか１項に記載のインクジェット記録装置において、インク粘度は、５ｍＰａ・ｓから２０ｍＰａ・ｓの範囲内であることを特徴とする。
【手続補正１４】
【補正対象書類名】明細書
【補正対象項目名】００２４
【補正方法】変更
【補正の内容】
【００２４】
また、請求項１０記載の発明は、請求項９に記載のインクジェット記録装置において、前記駆動パルスは、前記インク粘度が小さいときは電圧を小さく設定され、前記インク粘度が大きいときは電圧を大きく設定されたことを特徴とする。